(57)【特許請求の範囲】
【請求項１】
画像データが格納されている格納手段と、
外部装置にアクセスするアクセス手段と、
前記画像データを再生する再生モードにおいて、前記外部装置の画像データを再生可能にするモードを選択するモード選択手段と、
前記アクセス手段で前記外部装置にアクセスして得た画像データを再生するモードが選択されているか否かを判断するモード判定手段と、
前記モード判定手段で前記外部装置にアクセスして得た画像データを再生するモードが選択されていると判断された場合には、前記外部装置とのアクセスに必要な認証を行う認証手段と、
前記認証手段による前記認証結果に基づいて、前記外部装置から画像データを取得する外部画像データ取得手段と、
前記格納手段に格納された画像データと前記外部装置から得た画像データを順次再生するコマ送り操作を指示する指示手段と、
前記格納手段の最終画像データ以外の画像データに対して前記コマ送り操作がされた場合には、前記格納手段に格納された画像データを順次送りして次の画像データを表示し、前記格納手段の最終画像データに対してコマ送り操作がされた場合には、前記外部装置から得た画像データの最初の画像データを表示する表示形態制御手段と、
を備えることを特徴とする撮像装置。
【請求項２】
前記外部装置は、前記撮像装置である
ことを特徴とする請求項１に記載の撮像装置。
【請求項３】
前記格納手段は、着脱可能な記録媒体である
ことを特徴とする請求項１に記載の撮像装置。
【請求項４】
前記撮像装置は、さらに、
着脱可能な記録媒体から第１の認証情報を取得する認証情報取得手段を備え、
前記認証手段は、前記外部装置から第２の認証情報が送信された場合、該第２の認証情報と前記取得した前記第１の認証情報とに基づいて、前記認証を行う
ことを特徴とする請求項１に記載の撮像装置。
【請求項５】
前記撮像装置は、さらに、
前記外部装置からのアクセスに基づく、前記外部装置からのアクセスに対応して前記画像データが配置される表示用記憶手段に配置された前記画像データの消去または編集を禁止するデータ編集禁止手段
を備えることを特徴とする請求項１に記載の撮像装置。
【請求項６】
前記撮像装置は、さらに、
前記外部装置の有する前記画像データを当該撮像装置に複製する複製手段
を備えることを特徴とする請求項１に記載の撮像装置。
【請求項７】
前記撮像装置は、さらに、
前記画像データの先頭コマを選択する先頭コマ選択手段を有し、
前記表示制御手段は、前記先頭コマが選択された場合には、前記格納手段に格納された画像データの先頭画像を選択して表示する
ことを特徴とする請求項１に記載の撮像装置。
【請求項８】
前記撮像装置は、さらに、
前記画像データの最終コマを選択する最終コマ選択手段を有し、
前記表示制御手段は、前記最終コマが選択された場合には、前記外部装置から得た画像データの最後の画像データを選択して表示する
ことを特徴とする請求項１に記載の撮像装置。
【請求項９】
前記格納手段は、前記複製手段で複製された画像データを、それ以前に前記格納手段に格納された画像データに続く画像データとして格納する
ことを特徴とする請求項６に記載の撮像装置。
【請求項１０】
外部装置とネットワークを介して接続可能な撮像装置の制御方法であって、
前記画像データを再生する再生モードにおいて、前記外部装置の画像データを再生可能にするモードを選択し、
前記外部装置にアクセスして得た画像データを再生するモードが選択されているか否かを判断し、
前記外部装置にアクセスして得た画像データを再生するモードが選択されていると判断された場合には、前記外部装置とのアクセスに必要な認証を行い、
前記認証結果に基づいて、前記外部装置から画像データを取得し、
格納手段の最終画像データ以外の画像データに対してコマ送り操作がされた場合には、該格納手段に格納された画像データを順次送りして次の画像データを表示し、該格納手段の最終画像データに対してコマ送り操作がされた場合には、前記外部装置から得た画像データの最初の画像データを表示する
ことを特徴とする撮像装置の制御方法。
【発明の詳細な説明】
【技術分野】
【０００１】
本発明は、ネットワークに接続可能な撮像装置に関する。
【背景技術】
【０００２】
近年、画像を撮影してデジタルデータとして記憶することが可能なデジタルカメラ等の撮像装置が普及している。また、インターネット等のネットワークを利用して、電子メールやホームページの閲覧等を行うことも一般的になっている。
【０００３】
このような技術に基づいて、例えば、特許文献１では、ＩＰアドレスをカメラが所有し、当該カメラは、ネットワーク経由で画像の送信要求を受けると、要求された画像をネットワーク上に公開するシステムが開示されている。
【０００４】
また、デジタル化社会、ネットワーク社会の到来により、情報の安全保障が求められている。例えば、特許文献２では、記録媒体と装置の双方に鍵データを有し、その記録媒体とその装置との間で相互に権利確認を行い、適切な権利下で使用されたデータの来歴情報を蓄積し、決済を行うことが開示されている。
【特許文献１】特開２００３−１４３５１８号公報
【特許文献２】特開２００１−３３２０２３号公報
【発明の開示】
【発明が解決しようとする課題】
【０００５】
しかしながら、特許文献１では、ユーザは、欲しい画像を有するカメラのＩＰアドレスを予め知っている必要があり、ネットワークに関する知識を有するユーザ以外にユーザが利用するのが難しかった。
【０００６】
また、特許文献２では、機器と記録媒体間での相互権利確認を行うことについて言及されているが、同じ情報をもつ媒体を装填された機器同士の権利確認については言及されていなかった。
【０００７】
上記の課題に鑑み、本発明では、ネットワーク環境を意識しないで各撮像装置間でそれぞれの有する画像を相互に閲覧することができる撮像装置を提供する。
【課題を解決するための手段】
【０００８】
本発明にかかる撮像装置は、画像データが格納されている格納手段と、外部装置にアクセスするアクセス手段と、前記画像データを再生する再生モードにおいて、前記外部装置の画像データを再生可能にするモードを選択するモード選択手段と、前記アクセス手段で前記外部装置にアクセスして得た画像データを再生するモードが選択されているか否かを判断するモード判定手段と、前記モード判定手段で前記外部装置にアクセスして得た画像データを再生するモードが選択されていると判断された場合には、前記外部装置とのアクセスに必要な認証を行う認証手段と、前記認証手段による前記認証結果に基づいて、前記外部装置から画像データを取得する外部画像データ取得手段と、前記格納手段に格納された画像データと前記外部装置から得た画像データを順次再生するコマ送り操作を指示する指示手段と、前記格納手段の最終画像データ以外の画像データに対して前記コマ送り操作がされた場合には、前記格納手段に格納された画像データを順次送りして次の画像データを表示し、前記格納手段の最終画像データに対してコマ送り操作がされた場合には、前記外部装置から得た画像データの最初の画像データを表示する表示形態制御手段と、を備えることを特徴とする。
【０００９】
また、前記撮像装置において、前記外部装置は、前記撮像装置であることを特徴とする。
また、前記撮像装置において、前記格納手段は、着脱可能な記録媒体であることを特徴とする。
【００１１】
また、前記撮像装置は、さらに、着脱可能な記録媒体から第１の認証情報を取得する認証情報取得手段を備え、前記認証手段は、前記外部装置から第２の認証情報が送信された場合、該第２の認証情報と前記取得した前記第１の認証情報とに基づいて、前記認証を行うことを特徴とする。
【００１３】
また、前記撮像装置は、さらに、前記外部装置からのアクセスに基づく、前記外部装置からのアクセスに対応して前記画像データが配置される表示用記憶手段に配置された前記画像データの消去または編集を禁止するデータ編集禁止手段を備えることを特徴とする。
【００１４】
また、前記撮像装置は、さらに、前記外部装置の有する前記画像データを当該撮像装置に複製する複製手段を備えることを特徴とする。
【００１５】
前記撮像装置は、さらに、前記画像データの先頭コマを選択する先頭コマ選択手段を有し、前記表示制御手段は、前記先頭コマが選択された場合には、前記格納手段に格納された画像データの先頭画像を選択して表示する。
【００１６】
前記撮像装置は、さらに、前記画像データの最終コマを選択する最終コマ選択手段を有し、前記表示制御手段は、前記最終コマが選択された場合には、前記外部装置から得た画像データの最後の画像データを選択して表示することを特徴とする。
【００１７】
前記格納手段は、前記複製手段で複製された画像データを、それ以前に前記格納手段に格納された画像データに続く画像データとして格納する。
【００１８】
本発明にかかる、外部装置とネットワークを介して接続可能な撮像装置の制御方法は、前記画像データを再生する再生モードにおいて、前記外部装置の画像データを再生可能にするモードを選択し、前記外部装置にアクセスして得た画像データを再生するモードが選択されているか否かを判断し、前記外部装置にアクセスして得た画像データを再生するモードが選択されていると判断された場合には、前記外部装置とのアクセスに必要な認証を行い、前記認証結果に基づいて、前記外部装置から画像データを取得し、格納手段の最終画像データ以外の画像データに対してコマ送り操作がされた場合には、該格納手段に格納された画像データを順次送りして次の画像データを表示し、該格納手段の最終画像データに対してコマ送り操作がされた場合には、前記外部装置から得た画像データの最初の画像データを表示することを特徴とする。
【発明の効果】
【００１９】
本発明を用いることにより、ネットワークに関しての知識の少ないユーザでもネットワーク環境を意識しないで各撮像装置間でそれぞれの有する画像を相互に閲覧することができる。
【発明を実施するための最良の形態】
【００２０】
図１は、本実施形態における画像シェアシステムの概念図を示す。画像シェアシステム１は、少なくとも、アクセスポイント２、ネットワーク３、撮像装置４、着脱メモリ５から構成される。
【００２１】
撮像装置４は、例えば、デジタルカメラであり、被写体を撮影して画像データとして記録する機能を有する。ネットワーク３は、インターネット、ＬＡＮ、ＷＡＮ、専用線、有線、または無線等の通信網である。
【００２２】
アクセスポイント２は、撮像装置４をネットワーク３に接続するための基地局である。本実施形態では、撮像装置４は、無線によりアクセスポイント３と通信をしてネットワーク３と接続することができる。無線は、例えば無線ＬＡＮであってもよい。なお、本実施形態では撮像装置４とネットワーク３とを無線により接続したが、これに限定されず、撮像装置４を有線でネットワークと接続してもよい。
【００２３】
着脱メモリ５には、この着脱メモリ５を装填した撮像装置４が簡単にネットワーク３へ接続できるように、その接続に必要な情報や、他方の撮像装置を認証するためのＩＤ情報が格納されている。
【００２４】
図１の画像シェアシステム１によれば、無線でアクセスポイント２に接続できる少なくとも２つの撮像装置４のそれぞれに、共通の情報（または、１対の所定の情報）を持つカードを装填すると、他の撮像装置内に格納されている画像を閲覧することができる。
【００２５】
このような閲覧環境下において、例えば自分の撮像装置で画像を閲覧する場合、当該撮像装置に格納されている画像に引き続いて、他の撮像装置の画像を閲覧することができる。このとき、当該自分の撮像装置の操作部材を用いて、一定条件下で、その他の撮像装置の画像を操作することができる。
【００２６】
図２は、本実施形態における撮像装置４の背面を示す。撮像装置４の背面には、一例として、操作部材１１、表示部材１２、ファインダー１３が設けられている。操作部材１１には、例えば、フラッシュボタン、セルフタイマーボタン、マクロボタン、メニューボタン、決定ボタン、十字キー等がある。
【００２７】
図３は、本実施形態における撮像装置４のハードウェア構成の概要を示す。撮像装置４は、レンズ２１、撮像素子２２、撮像回路２３、ＡＥ（自動露出）制御回路２４、ＡＦ（オートフォーカス）制御回路２５、画像処理回路２６、着脱メモリ５、内蔵メモリ２８、通信手段２９、パワーＳＷ（スイッチ）３０、電池３１、電源回路３２、ＣＰＵ３３、閲覧禁止設定手段３４、モードＳＷ（スイッチ）３５、操作部材１１、第１記憶手段３７、第２記憶手段３８、表示駆動回路３９、表示部材１２、及びバス４１から構成される。
【００２８】
レンズ２１は、被写体像を撮像素子２２へ結像する。撮像素子２２は、撮影レンズ２１の作用により撮像素子２２上に結像されている被写体像を光電変換して画像を表現している電気信号を出力する。撮像素子２２は、例えば、ＣＣＤ（Ｃｈａｒｇｅ  Ｃｏｕｐｌｅｄ  Ｄｅｖｉｃｅ）である。
【００２９】
撮像回路２３は、ノイズ成分を低減させるＣＤＳ（Ｃｏｒｒｅｌａｔｅｄ  ＤｏｕｂｌｅＳａｍｐｌｉｎｇ）、信号レベルを安定化させるＡＧＣ（Ａｕｔｏｍａｔｉｃ  Ｇａｉｎ  Ｃｏｎｔｒｏｌ）、及びアナログ電気信号をデジタル電気信号に変換するＡ／Ｄ等を有する。そうして、この撮像回路２３は、撮像素子２２から出力されたアナログ電気信号のノイズ成分を低減させると共に、信号レベルを安定化させ、それをデジタル電気信号に変換して出力する。
【００３０】
ＡＥ（自動露出）制御回路２４は、露出の制御を行う機構である。ＡＦ（オートフォーカス）制御回路２５は、画像データを用いてコントラストＡＦ処理又は測距センサによるＡＦ処理を行う回路である。
【００３１】
画像処理回路２６は、画像データの記録の際に行うガンマ補正やホワイトバランス補正等の補正処理や、画像を構成する画素数を増減させる画像の拡大・縮小処理（リサイズ処理）、等といった各種の画像処理を行う。
【００３２】
着脱メモリ５は、このデジタルカメラに着脱可能な記録媒体であって、このデジタルカメラで撮影された静止画若しくは動画を表現している画像データ等が記録される保存用の記録媒体である。例えば、この着脱メモリ５は、ｘＤカード、スマートメディア（登録商標）やコンパクトフラッシュ（登録商標）等のメモリカード等である。この着脱メモリ５は、撮像装置４に設けられた不図示のインターフェースと接続することにより、撮像装置４と着脱メモリ５との間でのデータの授受を行う。
【００３３】
なお、本実施形態では、着脱メモリ５には、後述する所定のＩＤ及びアクセスポイント２に接続するために必要な情報（例えば、接続先ネットワークのＳＳＩＤ（Ｓｅｒｖｉｃｅ  Ｓｅｔ  ＩＤ）、アドホック・モードまたはインフラストラクチャ・モードの指定、チャンネル、ＷＥＰ暗号化を行う場合の暗号化用の文字列、通信モード（速度）  等）が格納されている。
【００３４】
内蔵メモリ２８は、本実施形態において、例えば、撮像回路２３から出力されるデジタル電気信号である画像データ（静止画若しくは動画を表現している画像データ、以下同じ）や画像処理回路２６による各種画像処理における処理中の画像データ等の一時保存用として使用されたり、ＣＰＵ３３による制御処理の実行のためのワークエリアとして使用されたり、または一定量のデータを格納する保存用等として使用されたりするメモリの総称である。尚、この内蔵メモリ２８は、電気的に書き換え動作を行わせることも可能な不揮発性メモリであり、ＣＰＵ３３により実行されるカメラプログラムの他、そのカメラプログラムの実行中に使用される各種データ等が格納される。
【００３５】
通信手段２９は、アクセスポイント２と通信するための送信機能及び受信機能をするインターフェースである。
ＣＰＵ３３は、中央演算処理部である。ＣＰＵ３３は、内蔵メモリ２８に格納されている所定のカメラプログラムを読み出して実行することで、このデジタルカメラ全体の動作を制御する。
【００３６】
パワーＳＷ（スイッチ）３０は、電源回路３２を介して電池３１からの電力を撮像装置４の構成要素となる各回路に供給させるためのスイッチである。電源回路３２は、昇圧回路や保護回路などを備えた回路である。
【００３７】
閲覧禁止手段３４は、後述するシェアモードにおいて、ネットワークを介して他の撮像装置から自身の有する画像の閲覧を禁止する機能を有する。後述するように、閲覧禁止手段３４の閲覧禁止機能をＯＮにして撮影した画像は、他の撮像装置から閲覧することはできない。また、閲覧禁止機能をＯＦＦのまま撮影した後であっても、表示部材１２での閲覧を禁止したい画像を選択して、その選択した画像に対して閲覧禁止機能をＯＮにして閲覧禁止とすることもできる。また、閲覧禁止機能をＯＮにすることにより閲覧禁止とされた画像を、閲覧禁止機能をＯＦＦにすることで再び閲覧可能にすることもできる。
【００３８】
モードＳＷ（スイッチ）３５は、撮像時の各種モードまたは再生時の各種モードを切り替えたり、またはシェアモードとノンシェアモードとを切り替えたりするためのスイッチである。
【００３９】
操作部材１１は、撮影者からの各種指示を受け付け、それをＣＰＵ３３へ通知するための各種ボタン等である。操作部材１１は、例えば、メニューボタン、十字ボタン、ＯＫボタン、レリーズボタン、録音開始ボタン、録音終了ボタン等である。
【００４０】
メニューボタンは、表示部材１２へのメニュー表示指示を可能にさせるためのものである。十字ボタンは、表示部材１２に表示されている各種項目や画像等の選択を可能にさせるためのものである。ＯＫボタンは、選択されている項目や画像等の決定指示を可能にさせるためのものである。レリーズボタンは、撮影指示を可能にさせるためのものである。
【００４１】
第１記憶手段３７と第２記憶手段３８はそれぞれ、画像を表示させるための表示用メモリであり、例えば、ＳＤＲＡＭ（Ｓｙｎｃｈｒｏｎｏｕｓ  ＤＲＡＭ）である。第１記憶手段３７は、自身の表示部材１２で画像を表示させるための表示用メモリである。第２記憶手段３８は、他機の表示部材１２で画像を表示させるための表示用メモリである。
【００４２】
表示部材１２は、例えば、ＬＣＤディスプレイ、液晶ディスプレイ、または有機ＥＬディスプレイ等である。表示駆動回路３９は、表示部材１２を駆動させて、表示部材１２に画像が表示できる状態にするための回路である。
【００４３】
バス４１は、ＣＰＵ３３が各種回路や機構等を制御するためにそのような回路（機構）と接続するためのバスである。バス４１は、さらに、不図示の映像信号生成回路、圧縮伸長回路とも接続されている。
【００４４】
映像信号生成回路（不図示）は、画像処理回路２６により画像処理された画像データから、表示部材１２が表示可能な映像信号を生成してこの表示部材１２へ出力する、等といった処理を行う。これにより、表示部材１２には、その映像信号に基づく映像（静止画や動画等）が表示される。
【００４５】
圧縮伸長回路（不図示）は、画像データの記録・再生のための、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式等による画像データの圧縮・伸張処理を行う。
【００４６】
次に、本発明において実現する機能を、図４〜図６を用いて、説明する。
図４は、２台の撮像装置がノンシェア（非共有）モードでの、それぞれの撮像装置の表示部材に表示される画像を示す。ここでは、２台の撮像装置をそれぞれ、カメラＡ、カメラＢとする。
【００４７】
図４（ａ）は、カメラＡで表示される画像を示す。これらの画像は、カメラＡに格納された画像である。カメラＡでは、画像Ａ−１〜Ａ−１０を表示することができる。画像Ａ−１〜Ａ−１０は、着脱メモリ５、または内蔵メモリ２８に格納されており、ＣＰＵ３３により読み出されて、第１記憶手段３７に展開されて表示部材１２に表示される。
【００４８】
図４（ｂ）は、カメラＢで表示される画像を示す。これらの画像は、カメラＢに格納された画像である。カメラＢでは、画像Ｂ−１〜Ｂ−１３を表示することができる。画像Ｂ−１〜Ｂ−１３は、着脱メモリ５、または内蔵メモリ２８に格納されており、ＣＰＵ３３により読み出されて、第１記憶手段３７に展開されて表示部材１２に表示される。
【００４９】
同図において、それぞれのカメラに格納されている画像は、それぞれのカメラでしか表示させることができない。すなわち、カメラＡに格納されている画像Ａ−１〜Ａ−１０はカメラＡでしか表示できない。また、カメラＢに格納されている画像Ｂ−１〜Ｂ−１３はカメラＢでしか表示できない。これは、従来の個々独立したカメラが自身に格納されている画像しか参照できないのと同様である。
【００５０】
図５は、本実施形態におけるシェア（共有）モードでの、それぞれの撮像装置の表示部材に表示される画像を示す。同図は、図４で説明したカメラＡ，カメラＢをシェアモードにしたものである。
【００５１】
図５（ａ）は、カメラＡで表示される画像を示す。カメラＡでは、画像Ａ−１〜Ａ−１０及び画像Ｂ−１〜Ｂ−１３を表示することができる。画像Ａ−１〜Ａ−１０は、カメラＡに格納された画像である。このカメラＡで閲覧できる画像Ｂ−１〜Ｂ−１３は、カメラＢに格納されている画像Ｂ−１〜Ｂ−１３のサムネイル画像である。
【００５２】
画像Ａ−１〜Ａ−１０は、カメラＡの着脱メモリ５または内蔵メモリ２８に格納されており、ＣＰＵ３３により読み出されて、第１記憶手段３７に展開されて表示部材１２に表示される。また、カメラＡで閲覧できる画像Ｂ−１〜Ｂ−１３は、カメラＢに格納されている画像Ｂ−１〜Ｂ−１３がカメラＢ自身の第２記憶手段３８にサムネイル画像として展開され、そのサムネイル画像を、ネットワーク３を経由して、カメラＡ側で閲覧したものである。
【００５３】
図５（ｂ）は、カメラＢで表示される画像を示す。カメラＢでは、画像Ｂ−１〜Ｂ−１３及び画像Ａ−１〜Ａ−１０を表示することができる。画像Ｂ−１〜Ｂ−１３は、カメラＢに格納された画像である。このカメラＢで閲覧できる画像Ａ−１〜Ａ−１０は、カメラＡに格納されている画像Ａ−１〜Ａ−１０のサムネイル画像である。
【００５４】
画像Ｂ−１〜Ｂ−１３は、カメラＢの着脱メモリ５または内蔵メモリ２８に格納されており、ＣＰＵ３３により読み出されて、第１記憶手段３７に展開されて表示部材１２に表示される。また、カメラＢで閲覧できる画像Ａ−１〜Ａ−１０は、カメラＡに格納されている画像Ａ−１〜Ａ−１０がカメラＡ自身の第２記憶手段３８にサムネイル画像として展開され、そのサムネイル画像を、ネットワーク３を経由して、カメラＢ側で閲覧したものである。
【００５５】
同図において、それぞれのカメラに格納されている画像は、相互に相手方のカメラで表示させることができる。すなわち、カメラＡに格納されている画像Ａ−１〜Ａ−１０はカメラＡでも表示できるし、カメラＢでもサムネイル画像として表示させることができる。また、カメラＢに格納されている画像Ｂ−１〜Ｂ−１３はカメラＢでも表示できるし、カメラＡでもサムネイル画像として表示させることができる。
【００５６】
図６は、シェアモードにおける、一方の撮像装置Ｂに格納されている画像を他方の撮像装置Ａにコピーした場合の一例を示す。同図では、図５（ａ）の状態から画像Ｂ−２を閲覧している側の撮像装置Ａにコピーした様子である。
【００５７】
図６（ａ）は、図５（ａ）と比べて、画像Ａ−１１が追加されている。これは、画像Ｂ−２（サムネイル画像）の本画像を画像Ａ−１１としてコピーしたものである。
図６（ｂ）は、図５（ａ）と比べて、画像Ａ−１１が追加されて、画像Ｂ−２（サムネイル画像）が消去されている。これは、画像Ｂ−２（サムネイル画像）の本画像を画像Ａ−１１としてコピーし、その代わりにサムネイル画像Ｂ−２を削除したものである。
【００５８】
次に、上述したノンシェアモード及びシェアモードでの撮像装置の詳細な処理を以下に説明する。
図７は、本実施形態における撮像装置の基本動作フローを示す。まず、ユーザはパワーＳＷ３０をＯＮにして撮像装置４を起動させる（ステップ１、以下、ステップを「Ｓ」と称する）。
【００５９】
次に、ＣＰＵ３３は、撮像装置４のＳＷ３５により切り替えられたカメラモードが「撮影モード」か「再生モード」かを検知する（Ｓ２）。ＣＰＵ３３は、モードＳＷ３５の切り替えに応じて発信される信号を検知することにより、ユーザによりどちらのモードが選択されたかを判定する。
【００６０】
Ｓ２で、ＣＰＵ３３は、撮像装置４のカメラモードが「撮影モード」であると判定した場合、撮像装置４のモードを撮影モード状態に移行する（Ｓ３）。ここでは、ＣＰＵ３３は、撮像装置４の各構成要素の初期化等、撮像装置４が撮影動作を行なうために必要な各種の初期設定の処理を行う。さらに、内蔵メモリ２８に格納されている本実施形態にかかるプログラムがＣＰＵ３３より読み出され、後述のフローが実行される。
【００６１】
Ｓ２で、撮像装置４のカメラモードが「再生モード」であると判定した場合、ＣＰＵ３３は、さらに「シェアモード」か「ノンシェアモード」かを検知する（Ｓ４）。ＣＰＵ３３は、上述の通り、モードＳＷ３５の切り替えに応じて発信される信号を検知することにより、ユーザによりどちらのモードが選択されたかを判定する。
【００６２】
Ｓ４で、ＣＰＵ３３は、撮像装置４のカメラモードが「ノンシェアモード」であると判定した場合、通常再生モード状態に移行する（Ｓ５）。ここでは、ＣＰＵ１３は、撮像装置４の表示部材１２に画像を再生させるために必要な各種の初期設定の処理を行う。例えば、内蔵メモリ２８に格納されている本実施形態にかかるプログラムがＣＰＵ３３より読み出され、後述のフローが実行される。
【００６３】
Ｓ４で、ＣＰＵ３３は、撮像装置４のカメラモードが「シェアモード」であると判定した場合、シェアモードで動作させるのに必要な認証処理の準備（認証準備）のための処理を行う（Ｓ６）。ここでは、例えば、着脱メモリ５が装填されているかどうかを検知したり、その着脱メモリ５にＩＤが記録されているかどうかを検知したり、検知したＩＤを認証用の記録領域に格納したりする。
【００６４】
Ｓ６での認証準備処理後、ＣＰＵ３３は、後述するシェア再生モードに移行する（Ｓ７）。
次に、撮影モードにおける撮影処理のフローチャートについて説明する。撮影モードには、撮影した画像の閲覧を禁止する設定をした場合に実行されるフローと、撮影した画像の閲覧を禁止しない設定をした場合に実行されるフローとがある。この設定は閲覧禁止設定手段３４により設定することができる。この設定に応じて、図７のＳ３から移行して、図８または図９のフローが実行される。
【００６５】
図８は、本実施形態における撮影モード（閲覧禁止設定をしていない場合）のフローチャートを示す。まず、ＣＰＵ３３は、シャッターボタンが半押しされているか否かを判定する（Ｓ１１）。ここでは、ＣＰＵ３３は、シャッターボタンの押下状態に応じて発信される信号のうち半押しされると発信される信号を検知した場合、シャッターボタンが半押しされていると判定する。
【００６６】
シャッターボタンが半押しされていると判定した場合、ＣＰＵ３３は、さらに、シャッターボタンが全押しされているか否かを判定する（Ｓ１２）。ここでは、ＣＰＵ３３は、シャッターボタンの押下状態に応じて発信される信号のうち全押しされると発信される信号を検知した場合、シャッターボタンが全押しされていると判定する。
【００６７】
シャッターボタンが全押しされていると判定した場合、ＣＰＵ３３は、ＡＦ（オートフォーカス）等の撮影条件をセットする（Ｓ１３）。例えば、ＣＰＵ３３は、操作部材１１により入力された情報または各種センサー等により入力された情報に基づいて、ＡＥ制御回路２４を駆動させて、ＡＥ制御回路２４にＡＥ制御をさせたり、またはＡＦ制御回路２５を駆動させて、ＡＦ制御回路２５にＡＦ制御をさせたりする。そして、ＣＰＵ３３は、撮影処理を行い、画像データを取得して、着脱メモリ５にその画像を記録する（Ｓ１４）。
【００６８】
Ｓ１２で、シャッターボタンが全押しされていないと判定した場合、ＣＰＵ３３は、既にＡＦ（オートフォーカス）等の撮影条件のセットが完了しているか否かを判定する（Ｓ１５）。
【００６９】
Ｓ１５で、ＣＰＵ３３は、既にＡＦ（オートフォーカス）等の撮影条件のセットが完了していると判定した場合、Ｓ１１の処理へ戻る。Ｓ１５で、ＣＰＵ３３は、未だＡＦ（オートフォーカス）等の撮影条件のセットが完了していないと判定した場合、ＣＰＵ３３は、ＡＦ（オートフォーカス）等の撮影条件をセットして（Ｓ１６）、Ｓ１１の処理に戻る。なお、Ｓ１６の処理は、Ｓ１３と同様である。
【００７０】
Ｓ１１でシャッターボタンが半押しされていないと判定した場合、またはＳ１４の処理が終了した場合、ＣＰＵ３３は、撮像装置４に対して設定操作がなされたか否かを判定する（Ｓ１７）。ここでは、ＣＰＵ３３は、操作部材１１により操作されるとその操作内容に応じて発信される信号を検知した場合、ＣＰＵ３３は、その操作に応じた設定を行う。
【００７１】
Ｓ１７で、撮像装置４に対して設定操作がされたと判定した場合、ＣＰＵ３３は、その操作の設定内容（操作信号）に基づいて、撮像装置４の設定を行う（Ｓ１８）。全て操作に応じた設定が終わるまでＳ１８を繰り返す（Ｓ１９）。
【００７２】
Ｓ１７で操作設定がされていないと判定した場合、またはＳ１９が終了した場合、ＣＰＵ３３は、モード変更がなされたか否かを判定する（Ｓ２０）。ここでは、モードＳＷ３５が切り替えられた（設定された）場合に発信される切り替え後のモードを通知する信号を検知する。
【００７３】
Ｓ２０で、モードが変更（設定）されたことを検知した場合、その変更（設定）後のモードへ移行する（Ｓ２１）。
ＣＰＵ１３は、パワーＳＷ３０により電源がＯＦＦになるまで、上述のＳ１１〜Ｓ２１の処理を繰り返す（Ｓ２２）。パワーＳＷ３０により電源がＯＦＦにされた場合、ＣＰＵ３３は撮像装置４をパワーオフ状態へ遷移させる（Ｓ２３）。
【００７４】
このようにして撮影が終了したら、ＣＰＵ３３は、本フローを終了し、遷移元の図７のフローへ処理が戻る。
図９は、本実施形態における撮影モード（閲覧禁止設定をしている場合）のフローチャートを示す。同図は、図８のフローにＳ３０〜Ｓ３１の処理を追加したものである。よって、ここでは、この追加した処理についてのみ説明し、その他の処理は図８と同様であるのでその説明は省略する。
【００７５】
ＣＰＵ３３は、Ｓ１１でシャッターボタンが半押しされていないと判定した場合、またはＳ１４の処理が終了した場合、Ｓ１４で撮影された画像を公開するか否かを判定する（Ｓ３０）。ここで、画像を公開するか否かの設定は、操作部材１１で設定することができるので、ＣＰＵ３３は、撮像装置４に対してその設定による指示信号の検知結果に基づいて、Ｓ１４で撮影された画像を公開するか否かを判定することができる。なお、ここでの公開とは、後述するシェアモードにおいて、ネットワーク上にその画像を公開することを意味する。
【００７６】
Ｓ３０で検知した指示信号が撮影した画像の公開の禁止を示す場合、ＣＰＵ３３は、公開の禁止を示す旨の情報をその画像に付加する（Ｓ３１）。
Ｓ３０で検知した指示信号が撮影した画像の公開を示す場合、または、Ｓ３１の処理が終了した場合、ＣＰＵ３３は、その画像を記録する（Ｓ３２）。ここでは、ＣＰＵ３３は、撮影した画像を着脱メモリ５に格納する（なお、内蔵メモリ２８に格納するようにしてもよい）。
【００７７】
なお、Ｓ１８で、ＣＰＵ３３は、その操作の設定内容（操作信号）に基づいて、撮像装置４の設定を行うが、この設定内容の中には、上記の公開を禁止するか否かの設定も含まれる。
【００７８】
図１０は、本実施形態における通常再生モードのフローチャートを示す。同図のフローは、図７のＳ５の処理の詳細を示す。まず、ＣＰＵ３３は、再生対象となる画像を着脱メモリ５（再生対象となる画像が内蔵メモリ２８に格納されている場合は内蔵メモリ２８）より読み出して、第１記憶手段３７にマウントする（Ｓ４１）。ここでは、ＣＰＵ３３は、画像をマウントする以外にも、例えば、その画像に付随する情報をマウントしたり、着脱メモリ５に記憶されている画像の枚数をマウントしたり等する。
【００７９】
次に、ＣＰＵ３３は、操作部材１１の各操作に応じて発信される信号を検知し、それぞれに操作に応じた処理を行う。コマ送り操作がされた場合（Ｓ４２）には、ＣＰＵ３３は、次の画像を表示させる（Ｓ４３）。コマ戻し操作がされた場合（Ｓ４４）には、ＣＰＵ３３は、前の画像を表示させる（Ｓ４５）。
【００８０】
先頭コマ出し操作がされた場合（Ｓ４６）には、ＣＰＵ３３は、先頭画像を表示させる（Ｓ４７）。最終コマ出し操作がされた場合（Ｓ４８）には、ＣＰＵ３３は、最終画像を表示させる（Ｓ４９）。再生機能各種操作がされた場合（Ｓ５０）、ＣＰＵ３３は、操作に応じた機能を実行する（Ｓ５１）。
【００８１】
公開禁止設定操作がされた場合（Ｓ５２）、ＣＰＵ３３は、対象画像に禁止情報を付加する（Ｓ５３）。公開禁止設定は、図９で説明したように撮影時にも設定できるが、再生時にも設定することができる。この公開禁止設定は、表示部材１２に表示されるメニュー画面から遷移できる所定の設定画面で設定することができる。
【００８２】
ＣＰＵ３３は、モードＳＷ３５によりモード変更操作がなされた場合（Ｓ５４）、その変更（設定）されたモードへ移行する（Ｓ５５）。
パワーＳＷ３０により電源がＯＦＦになるまで、ＣＰＵ３３は、Ｓ４２〜Ｓ５５の処理を繰り返し実行する（Ｓ５６）。なお、再生が終了するとは、例えば、再生モードから他のモード（撮影モード等）に切り替わったり、その他の割り込み処理が入ったりした場合等である。以降で説明するフローについても同様である。パワーＳＷ３０により電源がＯＦＦにされた場合、ＣＰＵ３３は撮像装置４をパワーオフ状態へ遷移させる（Ｓ５７）。
【００８３】
このようにして撮影が終了したら、ＣＰＵ３３は、本フローを終了し、遷移元の図７のフローへ処理が戻る。
次に、図７のＳ６で説明したシェアモードでのＩＤ認証準備処理について詳述する。シェアモードのＩＤ認証準備処理の一例として、２つの認証タイプについて説明する。１つは、撮像装置４に装填された着脱メモリ５から所定の情報を読み出すことにより行われる認証タイプ（以下、タイプ１）（図１１参照）と、もう１つは、事前に記憶されている所定の情報を読み出すことにより行われる認証タイプ（以下、タイプ２）（図１２参照）である。以下では、これらの認証タイプの処理のフローについて説明する。
【００８４】
図１１は、本実施形態における認証準備処理のフローチャート（タイプ１）を示す。まず、ＣＰＵ３３は、着脱メモリ５が装填されているかどうかを判定する（Ｓ６１）。着脱メモリ５が装填されていると判定した場合、ＣＰＵ３３は、その着脱メモリから所定の情報（例えば、所定の規格に則った情報）を読み出すことにより、その着脱メモリ５がシェアＩＤカードか否かを判定する（Ｓ６２）。
【００８５】
Ｓ６２で装填されている着脱メモリ５がシェアＩＤカードであると判定した場合、ＣＰＵ３３は、その着脱メモリ５からＩＤを読み取る（Ｓ６３）。
Ｓ６３でのＩＤの読み取り後、ＣＰＵ３３は、ＩＤ認証のための準備処理（ＩＤ認証準備）を行う（Ｓ６４）。ここで、ＩＤ認証準備とは、シェアモード時において他の撮像装置（他機）が自分（自機）にアクセスした場合に、その他機が正規の撮像装置か否かを認証するための事前の準備作業のことをいう。たとえば、ＣＰＵ３３は、その取得したＩＤを、後述するＩＤ認証処理時に使用される内蔵メモリ２８の所定の領域に格納する処理などを行う。
【００８６】
Ｓ６４のＩＤ認証準備後、ＣＰＵ３３は、着脱メモリ５からさらに無線通信に必要な情報を読み出して、それを設定して、アクセスポイント２と通信を開始し（Ｓ６５）、本フローは終了する。
【００８７】
なお、Ｓ６１で着脱メモリ５が装填されていないと判定した場合、またはＳ６２で着脱メモリ５がシェアＩＤカードでないと判定した場合も、本フローは終了する。
図１２は、本実施形態における認証準備処理のフローチャート（タイプ２）を示す。まず、ＣＰＵ３３は、内蔵メモリ２８を読み込んで、ＩＤ情報が既に格納されているかどうかを判定する（Ｓ７１）。
【００８８】
ＩＤ情報が格納されている場合、ＣＰＵ３３はそのＩＤ情報を読み取り、ＩＤ認証準備を行った後（Ｓ７２）、アクセスポイント２と通信を開始する（Ｓ７３）。Ｓ７２、Ｓ７３はそれぞれ、図１１のＳ６４、Ｓ６５に対応する処理である。そして、本フローは終了する。
【００８９】
ＩＤ情報が格納されていない場合、ＣＰＵ３３は、着脱メモリ５が装填されているかどうかを判定する（Ｓ７４）。着脱メモリ５が装填されていると判定した場合、ＣＰＵ３３は、その着脱メモリ５から所定の情報を読み出すことにより、その着脱メモリ５がシェアＩＤカードか否かを判定する（Ｓ７５）。
【００９０】
Ｓ７５で装填されている着脱メモリ５がシェアＩＤカードであると判定した場合、ＣＰＵ３３は、その着脱メモリ５からＩＤを読み出す（Ｓ７６）。そして、ＣＰＵ３３は、そのＩＤに基づいて、ＩＤ認証準備（図１１のＳ６４に対応する処理）を行い、さらに、そのＩＤを着脱メモリ５または内蔵メモリ２８に記憶する（Ｓ７７）。
【００９１】
Ｓ７７の認証準備後、ＣＰＵ３３は、着脱メモリ５からさらに無線通信に必要な情報を読み出して、それを設定して、アクセスポイント２と通信を開始し（Ｓ７８）、本フローは終了する。
【００９２】
なお、Ｓ７５で着脱メモリ５が装填されていないと判定した場合、またはＳ７５で着脱メモリ５がシェアＩＤカードでないと判定した場合、本フローは終了する。
次に、図７のＳ７で説明したシェア再生モードについて詳述する。このシェア再生モードは、自身の撮像装置内に記録されている画像と共に、ネットワークを介して接続されている撮像装置に記録されている画像を閲覧することができるモードである。なお、このシェア再生モードは、自身の撮像装置内に記録されている画像は編集できるが、当該自身の撮像装置からは、他方の撮像装置内に記録されている画像を編集することはできない。それでは、図１３を用いて、このシェア再生モードを詳述する。
【００９３】
図１３は、本実施形態におけるシェア再生モードのフローチャートを示す。同図において、一方の撮像装置について添え字ａを付与して表し、他方の撮像装置について添え字ｂを付与して表す。
【００９４】
まず、ＣＰＵ３３ａは、再生対象となる画像を着脱メモリ５ａより読み出して、第１記憶手段３７ａにマウントする（Ｓ８１）。ここでは、ＣＰＵ３３ａは、画像をマウントする以外にも、例えば、その画像に付随する情報を第１記憶手段３７ａにマウントしたり、着脱メモリ５ａに記憶されている画像の枚数を第１記憶手段３７ａにマウントしたり等する。
【００９５】
次に、撮像装置４ａのＣＰＵ３３ａは、通信可能な他の撮像装置４ｂが存在するか否かを判定する（Ｓ８２）。ここでは、当該撮像装置４ａは既にネットワーク３に参加した環境下にいる。そこで、当該撮像装置４ａはネットワーク３に対して、例えば、所定のアクセス要求情報を送信する。ネットワーク上に他の撮像装置４ｂが存在する場合、そのアクセス要求情報を受信した撮像装置４ｂのＣＰＵ３３ｂは応答情報を送信する。その応答情報を受信した撮像装置４ａのＣＰＵ３３ａは、自身のＩＤをその撮像装置４ｂへ送信する。そのＩＤを受信した撮像装置４ｂは、自身の内蔵メモリ２８の所定の領域に格納したＩＤと、その受信したＩＤとが一致するか否か（または対のＩＤか否か）を判定する。その判定の結果２つのＩＤが一致した場合、ＣＰＵ３３ｂは撮像装置４ａを正規の撮像装置（または正規のユーザ）とみなして、撮像装置４ａに、自身（撮像装置４ｂ）の第２記憶手段３８ｂへのアクセス許可（認証）をする。このようにして、撮像装置４ａは、撮像装置４ｂの第２記憶手段３８ｂへアクセスするための認証を受けることができる。なお、反対の場合（撮像装置４ｂから撮像装置４ａへのアクセス許可要求）についても同様である。
【００９６】
次に、ＣＰＵ３３ａは、認証を受けた撮像装置４ｂの再生対象画像をその撮像装置４ｂの第２記憶手段にマウントさせるように撮像装置４ｂに要求する（Ｓ８３）。ここでは、撮像装置４ａのＣＰＵ３３ａは、撮像装置４ｂに対して、撮像装置４ｂの有する再生対象画像を、撮像装置４ｂの備える第２記憶手段３８ｂにマウントさせる旨の指示情報を送信する。ネットワーク３を介して、その指示情報を受信した撮像装置４ｂのＣＰＵ３３ｂは、再生対象画像を第２記憶手段３８ｂにマウントする。撮像装置４ｂの第２記憶手段３８ｂにマウントされた再生対象画像は、ネットワーク３を介して撮像装置４ａ側の表示部材１２で閲覧することができる。
【００９７】
次に、ＣＰＵ３３ａは、操作部材１１ａの各操作に応じて発信される信号を検知し、それぞれに操作に応じた処理を行う。
コマ送り操作がされた場合（Ｓ８４）には、ＣＰＵ３３ａは、それまで表示されていた画像が自機（すなわち、撮像装置４ａ）に格納されている画像であるか否かを判定する（Ｓ８５）。
【００９８】
Ｓ８５で、それまで表示されていた画像が自機４ａに格納されている画像でない場合（すなわち、他機４ｂの画像である場合）、ＣＰＵ３３ａは、その他機４ｂに格納されている次の画像を表示させる（Ｓ８７）。
【００９９】
Ｓ８５で、それまで表示されていた画像が自機４ａに格納されている画像である場合、ＣＰＵ３３ａはその画像が自機４ａに格納されている画像のうちの最終画像であるか否かを判定する（Ｓ８６）。
【０１００】
Ｓ８６で、その画像が自機４ａの最終画像である場合、ＣＰＵ３３ａは他機４ｂに格納されている画像のうち先頭画像を表示させる（Ｓ８８）。Ｓ８６で、その画像が自機４ａの最終画像でない場合、ＣＰＵ３３ａは、自機４ａに格納されている次の画像を表示させる（Ｓ８７）。
【０１０１】
次に、コマ戻し操作がされた場合（Ｓ８９）には、ＣＰＵ３３ａは、それまで表示されていた画像が他機４ｂに格納されている画像であるか否かを判定する（Ｓ９０）。
Ｓ９０で、それまで表示されていた画像が他機４ｂに格納されている画像でない場合（すなわち、自機４ａの画像である場合）、ＣＰＵ３３ａは、その自機４ａに格納されている前の画像を表示させる（Ｓ９２）。
【０１０２】
Ｓ９０で、それまで表示されていた画像が他機４ｂに格納されている画像である場合、ＣＰＵ３３ａはその画像が他機４ｂに格納されている画像のうちの先頭画像であるか否かを判定する（Ｓ９１）。
【０１０３】
Ｓ９１で、その画像が自機４ｂの先頭画像である場合、ＣＰＵ３３ａは自機４ａに格納されている画像のうち最終画像を表示させる（Ｓ９３）。Ｓ９１で、その画像が他機４ｂの先頭画像でない場合、ＣＰＵ３３ａは、他機４ｂに格納されている前の画像を表示させる（Ｓ９２）。
【０１０４】
先頭コマ出し操作がされた場合（Ｓ９４）には、ＣＰＵ３３ａは、自機４ａに格納されている先頭画像を表示させる（Ｓ９５）。
最終コマ出し操作がされた場合（Ｓ９６）には、ＣＰＵ３３ａは、他機４ｂに格納されている最終画像を表示させる（Ｓ９７）。
【０１０５】
コピー操作がされた場合（Ｓ９８）には、ＣＰＵ３３ａは、対象画像（対象のサムネイル画像）の本画像データを他機４ｂの着脱メモリ５から自機４ａの第１記憶手段３７ａ、内蔵メモリ２８ａ、または着脱メモリ５ａにコピーする（Ｓ９９）。具体的には、ＣＰＵ３３ａは、撮像装置４ｂに対して、対象画像（対象のサムネイル画像）の本画像データを送信する旨の指示情報を送信する。撮像装置４ｂ側において、この指示信号を受信したＣＰＵ３３ｂは、撮像装置４ｂの対象画像（対象のサムネイル画像）の本画像データを、撮像装置４ａに対して送信する。撮像装置４ａ側において、この本画像データを受信したＣＰＵ３３ａは、この本画像データを自機４ａの第１記憶手段３７ａ、内蔵メモリ２８ａ、または着脱メモリに格納する。
【０１０６】
再生機能各種操作がされた場合（Ｓ１００）、ＣＰＵ３３ａは、現在、表示部材１２ａに表示されている画像が他機４ｂの画像であるか否かを判定する（Ｓ１０１）。Ｓ１０１で、現在、表示部材１２ａに表示されている画像が他機４ｂの画像である場合、ＣＰＵ３３ａは、その画像について編集等の画像の内容を更新する操作に対してはその操作の実行を許可しない。
【０１０７】
Ｓ１０１で、現在、表示部材１２に表示されている画像が他機４ｂの画像でない場合（すなわち、自機４ａの画像である場合）、ＣＰＵ３３ａは、その操作に応じた機能を実行する（Ｓ１０２）。
【０１０８】
ＣＰＵ３３は、モード変更操作がなされた場合（Ｓ１０３）、その変更（設定）されたモードへ移行する（Ｓ１０４）。
パワーＳＷ３０により電源がＯＦＦになるまで、ＣＰＵ１３は、Ｓ８２〜Ｓ１０４の処理を繰り返し実行する（Ｓ１０５）。
【０１０９】
Ｓ８２で、撮像装置４ａのＣＰＵ３３ａは、通信可能な他の撮像装置４ｂが存在しないと判定した場合、図１０で説明したノンシェアモードの同様の処理を行う。具体的には、ＣＰＵ３３は、操作部材１１の各操作に応じて発信される信号を検知し、それぞれに操作に応じた処理を行う。
【０１１０】
コマ送り操作がされた場合（Ｓ１０６）には、ＣＰＵ３３ａは、自機４ａの次の画像を表示させる（Ｓ１０７）。
コマ戻し操作がされた場合（Ｓ１０８）には、ＣＰＵ３３ａは、自機４ａの前の画像を表示させる（Ｓ１０９）。
【０１１１】
先頭コマ出し操作がされた場合（Ｓ１１０）には、ＣＰＵ３３ａは、自機４ａの先頭画像を表示させる（Ｓ１１１）。
最終コマ出し操作がされた場合（Ｓ１１２）には、ＣＰＵ３３ａは、自機４ａの最終画像を表示させる（Ｓ１１３）。
【０１１２】
再生機能各種操作がされた場合（Ｓ１１４）、ＣＰＵ３３ａは、操作に応じた機能を実行する（Ｓ１１５）。
ＣＰＵ３３は、モード変更操作がなされた場合（Ｓ１１６）、その変更（設定）されたモードへ移行する（Ｓ１１７）。
【０１１３】
パワーＳＷ３０により電源がＯＦＦになるまで、ＣＰＵ３３ａは、Ｓ１０６〜Ｓ１１７の処理を繰り返し実行する（Ｓ１１８）。
Ｓ１０５またはＳ１１８で、パワーＳＷ３０により電源がＯＦＦにされた場合、ＣＰＵ３３ａは撮像装置４ａをパワーオフ状態へ遷移させる（Ｓ１１９）。
【０１１４】
このようにして再生が終了したら、ＣＰＵ３３ａは、本フローを終了し、遷移元の図７のフローへ処理が戻る。
なお、本実施形態では、２台の撮像装置間で画像を共有する場合について説明したが、これに限定されず、３台以上の撮像装置間で画像を共有してもよい。
【０１１５】
以上より、本発明によれば、同じＩＤを認識した撮像装置間相互で画像の閲覧が可能となる。また、ＩＤは、着脱メモリ（専用カードでもよい）に記録されていて、カードが撮像装置に装填されＩＤが認識されると、同じＩＤ（または対になるＩＤ）を認識している他の撮像装置との間で相互に画像の閲覧が可能になる。
【０１１６】
なお、この着脱メモリにはネットワークへアクセスするために必要な情報が格納されており、この着脱メモリを撮像装置に装填するだけでネットワークに参加することができる。したがって、ネットワークに関する知識の乏しいユーザも簡単にネットワークにアクセスすることができる。
【０１１７】
また、このように、ＩＤ及びネットワークアクセス情報が格納された着脱メモリは、複数製造することができる。したがって、同一のＩＤ（または対応するＩＤ）が格納された着脱メモリをそれぞれの撮像装置に装填するだけで、それらの撮像装置間で画像の閲覧を容易に行うことが可能となる。
【０１１８】
本実施形態にかかる撮像装置は、自機が動作するために必要な情報を展開するメモリ（第１記憶手段）と、他機がアクセスするためのメモリ（第２記憶手段）とを備えている。このようにメモリを物理的に２つに分けることにより、他機が当該自機の画像を閲覧している場合も、自機側で閲覧したり、操作したりするときの動作パフォーマンスを落とすことがないため、快適に操作することができる。
【０１１９】
また、撮像装置は、装填された着脱メモリのＩＤを認識すると、ネットワークにワイヤレスで接続を行い、他の撮像装置の他機アクセス用メモリ（第２記憶手段）をそのアクセス要求した撮像装置に対して開放する。これにより、正規の撮像装置に対してのみアクセス許可を出すことができる。
【０１２０】
また、画像ごとや画像組ごとに他機からの閲覧を禁止することができる。これにより他人に見せなくない画像を予め設定することができる。
また、他機の画像を閲覧する場合、自機の操作部材を用いて操作することができる（例えば、コマ送り、コマ戻し、先頭画像表示、最終画像表示等）が、一定の操作については制限されている（例えば、消去や編集はできない）。
【０１２１】
また、自機で他機の画像を閲覧する場合、その画像はデータ容量の小さいサムネイル画像であるため、ネットワークのトラフィックジャム等が生じ難い。そのため、快適なネットワーク環境で他機の画像を自機で閲覧することができる。
【０１２２】
また、他機の画像を自機の記憶装置等にコピーする場合、サムネイル画像ではなく本画像をコピーすることができる。コピーした画像は、自機の最終コマの次のコマとして表示される。このとき、他機のコピーした当該コマ（サムネイル画像）そのまま見えるようにしてもよいし、見えなくしてもよい。
【０１２３】
なお、本発明は、以上に述べた実施の形態に限定されるものではなく、本発明の要旨を逸脱しない範囲内で種々の構成または形状を取ることができる。
【図面の簡単な説明】
【０１２４】
【図１】本実施形態における画像シェアシステムの概念図を示す。
【図２】本実施形態における撮像装置４の背面を示す。
【図３】本実施形態における撮像装置４のハードウェア構成の概要を示す。
【図４】２台の撮像装置がノンシェア（非共有）モードでの、それぞれの撮像装置の表示部材に表示される画像を示す。
【図５】本実施形態におけるシェア（共有）モードでの、それぞれの撮像装置の表示部材に表示される画像を示す。
【図６】シェアモードにおける、一方の撮像装置に格納されている画像を他方の撮像装置にコピーした場合の一例を示す。
【図７】本実施形態における撮像装置の基本動作フローを示す。
【図８】本実施形態における撮影モード（閲覧禁止設定をしていない場合）のフローチャートを示す。
【図９】本実施形態における撮影モード（閲覧禁止設定をしている場合）のフローチャートを示す。
【図１０】本実施形態における通常再生モードのフローチャートを示す。
【図１１】本実施形態における認証準備処理のフローチャート（タイプ１）を示す。
【図１２】本実施形態における認証準備処理のフローチャート（タイプ２）を示す。
【図１３】本実施形態におけるシェア再生モードのフローチャートを示す。
【符号の説明】
【０１２５】
１      画像シェアシステム
２      アクセスポイント
３      ネットワーク
４      撮像装置
５      着脱メモリ
１１    操作部材
１２    表示部材
１３    ファインダー
２１    レンズ
２２    撮像素子
２３    撮像回路
２４    ＡＥ制御回路
２５    ＡＦ制御回路
２６    画像処理回路
２８    内蔵メモリ
２９    通信手段
３０    パワーＳＷ
３１    電池
３２    電源回路
３３    ＣＰＵ
３４    閲覧禁止設定手段
３５    モードＳＷ
３７    第１記憶手段
３８    第２記憶手段
３９    表示駆動回路
４１    バス
【図１】
0004663491.tif 000002
【図２】
0004663491.tif 000003
【図３】
0004663491.tif 000004
【図４】
0004663491.tif 000005
【図５】
0004663491.tif 000006
【図６】
0004663491.tif 000007
【図７】
0004663491.tif 000008
【図８】
0004663491.tif 000009
【図９】
0004663491.tif 000010
【図１０】
0004663491.tif 000011
【図１１】
0004663491.tif 000012
【図１２】
0004663491.tif 000013
【図１３】
0004663491.tif 000014